(57)【特許請求の範囲】
【請求項１】
光軸方向に進退してカメラボディに出没する第１鏡筒部材と、ズームレンズの最前部のレンズ群を支持し光軸方向に進退して前記第１鏡筒部材に出没する第２鏡筒部材とを有するズーム機能付カメラにおいて、
前記第１鏡筒部材を、後端において互いに連結した外筒部と内筒部とを有する二重筒構造に形成することで、それら外筒部と内筒部との間に前方が開放し後方が閉塞した環状空間を画成し、
前記第２鏡筒部材を、前記最前部のレンズ群を支持するレンズ支持部と、前端が該レンズ支持部に連結し後方へ延出する円筒部とを有する構造に形成し、
前記円筒部の外周の前端と後端にそれぞれ前端側外方フランジと後端側外方フランジを設け、
前記第２鏡筒部材の円筒部の外周に略々円筒形のレンズフードを光軸方向に移動可能に嵌合して装備し、
前記レンズフードの内周の後端に、前記前端側外方フランジおよび後端側外方フランジの双方に当接可能な内方フランジを設け、
前記第２鏡筒部材が光軸方向に進退する際に、該第２鏡筒部材の円筒部及び前記レンズフードが前記第１鏡筒部材の前記環状空間に出没するようにし、
前記第２鏡筒部材および前記レンズフードが前記環状空間に収容された状態で前記レンズフードの前記内方フランジが前記第２鏡筒部材の後端側外方フランジに当接することで前記光軸方向において前記レンズフードの前端と前記第２鏡筒部材の前記円筒部の前端とがほぼ同じ位置に位置している、
ことを特徴とするズーム機能付カメラ。
【請求項２】
前記レンズフードを前記第２鏡筒部材上の最後方まで後退させ、該第２鏡筒部材を前記第１鏡筒部材に対して最後方まで後退させたときに、該第２鏡筒部材の円筒部及び該レンズフードが前記第１鏡筒部材の前記環状空間内に略々完全に収容される請求項１記載のズーム機能付カメラ。
【請求項３】
前記第１鏡筒部材を前記カメラボディに対して最後方まで後退させたときに、該第１鏡筒部材が該カメラボディ内に略々完全に収容される請求項２記載のズーム機能付カメラ。
【請求項４】
前記第２鏡筒部材は、その後端の外周面及び内周面が夫々前記第１鏡筒部材の内筒部の外周面及び外筒部の内周面に対して極めて小さな隙間をもって対向しており、それによって遮光性を得ている請求項１乃至３の何れか１項記載のズーム機能付カメラ。
【請求項５】
前記第１鏡筒部材はズーム機構のカムリングとして構成されている請求項１乃至４の何れか１項記載のズーム機能付カメラ。
【請求項６】
前記カメラはレンズシャッタを備えたコンパクトカメラである請求項１乃至５の何れか１項記載のズーム機能付カメラ。
【請求項７】
前記レンズフードは、前記第２鏡筒部材に対して所定の摩擦抵抗をもって摺動可能に嵌合している請求項１乃至６の何れか１項記載のズーム機能付カメラ。
【発明の詳細な説明】
【０００１】
【発明の属する技術分野】
本発明はズーム機能付カメラに関する。
【０００２】
【従来の技術】
写真用カメラは、プロフェッショナルユースに対応した高級機種とファミリーユースに対応した普及機種とに大きく分けられ、後者では特に持ち運びの容易性（携帯性）が重視されることから、コンパクト化に急速に進展し、その結果、現在では一般的にコンパクトカメラと呼ばれるようになっている。
最近では、コンパクトカメラにズーム機能を備えることも特に珍しいことではなくなっている。ズーム機能付コンパクトカメラで望遠撮影をする際には、レンズの鏡筒をカメラボディから大きく突出させて焦点距離を長く取らねばならないが、それでも、カメラの非使用時にはその鏡筒をカメラボディ内に完全に没入させて収納できるようにして、良好な携帯性が得られるようにしたものが喜ばれている。
【０００３】
【発明が解決しようとする課題】
しかしながら、そのような構造のコンパクトカメラのうちに、レンズフードを装備したものは殆ど見られない。周知のごとくレンズフードは、逆光時等に画角外からの強烈な光がレンズに入射し、鏡筒内で反射してフレアーを発生させて画質が低下するのを防止するためのものであり、これがコンパクトカメラにとっても有用なものであることはいうまでもない。
例えば一眼レフカメラに装着するズームレンズでは、そのレンズに備え付けられ、いちいち着脱したりしない内蔵レンズフードが使用されている。即ち、レンズの鏡筒の最前部の外周に円筒形のレンズフードを嵌合して装備してあり、このレンズフードを手動操作によって使用時には引き出して前方へ突出させ、非使用時には後方へ押し込んで邪魔にならないようにしている。
ところが、レンズの鏡筒をカメラボディ内に完全に没入させて収納できるようにしたコンパクトカメラの場合には、これと同じ構造を採用することは甚だ困難であり、また、内蔵式でない別体のレンズフードをバヨネット式またはネジ式の結合構造でレンズの前端に結合するようにしたのでは、そのレンズフードを持ち運ばねばならないためにコンパクトカメラの命ともいうべき携帯性が損なわれてしまう。
本発明は前記事情に鑑み案出されたものであり、本発明の目的は、レンズの鏡筒をカメラボディ内に完全に没入させて収納できるようにしたズーム機能付コンパクトカメラ等のように、これまで内蔵レンズフードを装備することが困難であったカメラにも、内蔵レンズフードを好適に装備し得るようにすることにある。
【０００４】
【課題を解決するための手段】
前記目的を達成するため本発明は、光軸方向に進退してカメラボディに出没する第１鏡筒部材と、ズームレンズの最前部のレンズ群を支持し光軸方向に進退して前記第１鏡筒部材に出没する第２鏡筒部材とを有するズーム機能付カメラにおいて、前記第１鏡筒部材を、後端において互いに連結した外筒部と内筒部とを有する二重筒構造に形成することで、それら外筒部と内筒部との間に前方が開放し後方が閉塞した環状空間を画成し、前記第２鏡筒部材を、前記最前部のレンズ群を支持するレンズ支持部と、前端が該レンズ支持部に連結し後方へ延出する円筒部とを有する構造に形成し、前記円筒部の外周の前端と後端にそれぞれ前端側外方フランジと後端側外方フランジを設け、前記第２鏡筒部材の円筒部の外周に略々円筒形のレンズフードを光軸方向に移動可能に嵌合して装備し、前記レンズフードの内周の後端に、前記前端側外方フランジおよび後端側外方フランジの双方に当接可能な内方フランジを設け、前記第２鏡筒部材が光軸方向に進退する際に、該第２鏡筒部材の円筒部及び前記レンズフードが前記第１鏡筒部材の前記環状空間に出没するようにし、前記第２鏡筒部材および前記レンズフードが前記環状空間に収容された状態で前記レンズフードの前記内方フランジが前記第２鏡筒部材の後端側外方フランジに当接することで前記光軸方向において前記レンズフードの前端と前記第２鏡筒部材の前記円筒部の前端とがほぼ同じ位置に位置していることを特徴とする。
また、本発明は、前記レンズフードを前記第２鏡筒部材上の最後方まで後退させ、該第２鏡筒部材を前記第１鏡筒部材に対して最後方まで後退させたときに、該第２鏡筒部材の円筒部及び該レンズフードが前記第１鏡筒部材の前記環状空間内に略々完全に収容されることを特徴とする。
また、本発明は、前記第１鏡筒部材を前記カメラボディに対して最後方まで後退させたときに、該第１鏡筒部材が該カメラボディ内に略々完全に収容されることを特徴とする。
また、本発明は、前記第２鏡筒部材が、その後端の外周面及び内周面が夫々前記第１鏡筒部材の内筒部の外周面及び外筒部の内周面に対して極めて小さな隙間をもって対向しており、それによって遮光性を得ていることを特徴とする。
また、本発明は、前記第１鏡筒部材が、ズーム機構のカムリングとして構成されていることを特徴とする。
また、本発明は、前記カメラが、レンズシャッタを備えたコンパクトカメラであることを特徴とする。
また、本発明は、前記レンズフードが、前記第２鏡筒部材に対して所定の摩擦抵抗をもって摺動可能に嵌合していることを特徴とする。
【０００５】
【発明の実施の形態】
以下に本発明の実施の形態について添付図面を参照して説明する。
図１は本発明にかかるズーム機能付カメラの非使用状態（鏡筒収納時の状態）を示した上半断面図、図２は同カメラのレンズがワイド端位置にある状態を示した上半断面図、図３は同カメラのレンズがテレ端位置にある状態を示した上半断面図、図４は同カメラの分解斜視図、図５はカメラの斜視図である。
図５に示すように、カメラ１は、レンズの鏡筒２をカメラボディ３内に完全に没入させて収納できるようにした、レンズシャッタを備えたコンパクトカメラである。カメラボディ３の前面には左右方向にスライド可能にスライドバリア４が組み付けられ、カメラボディ３の上面にはレリーズボタン５、ワイドスイッチボタン６、テレスイッチボタン７が設けられている。
カメラを使用しないときには、スライドバリア４でカメラボディ３の前面のレンズ付近を覆っておくことでレンズを保護することができ、このとき鏡筒２はカメラボディ３内に完全に没入した状態にある。
カメラを使用するときには、スライドバリア４を側方へスライドさせれば、不図示のスイッチが閉成することで後述するズームモータが駆動され、鏡筒２が突出しワイド端状態となり、図５はこの状態を示している。
鏡筒２は、図１〜図４に示すように、第１鏡筒部材１２や第２鏡筒部材１６等からなり、図中、Ｌ１はズームレンズの前群レンズ、Ｌ２は後群レンズ、１０はレンズフードを示す。
第１鏡筒部材１２はレンズの光軸方向に進退してカメラボディ３に出没するようにしてあり、また、第２鏡筒部材１６は、ズームレンズの最前部のレンズ群である前群レンズＬ１を支持し光軸方向に進退して第１鏡筒部材１２に出没するようにしてある。
尚、実施例では、第１鏡筒部材１２はズーム機構のカムリング（駆動リング）として構成されているため、以下の説明では第１鏡筒部材１２をカムリングと称し、また、第２鏡筒部材１６はレンズの鏡筒のうちの先端部分を画成するものであるため、第２鏡筒部材１６を先端鏡筒部材と称する。
【０００６】
カメラのズーム機構は、カムリング１２及び先端鏡筒部材１６を光軸方向に進退させるための移動機構を含んでおり、先ずその移動機構について説明する。
図１〜図４において、カメラボディ３に固定される固定環１１は、略々円筒形の部材であり、その内面に、雌ヘリコイド１１ａと、その円筒形の軸心方向（光軸方向）に延在する一対の直進案内溝１１ｂとが形成されている。
カムリング１２は、固定環１１内に嵌合される略々円筒形の部材であり、その後端部の外面に雄ヘリコイド１２ａが形成され、この雄ヘリコイド１２ａが固定環１１の雌ヘリコイド１１ａと螺合している。
カムリング１２には更に、その雄ヘリコイド１２ａの一部を切除して螺旋状にギヤ部１２ｂが形成されており、このギヤ部１２ｂは、固定環１１に回転自在に支持されたズーム駆動ギヤ１３と噛合している。
ズーム駆動ギヤ１３は図示しないズームモータによって回転させられる。このズーム駆動ギヤ１３がカムリング１２を回転駆動すると、カムリング１２は雄ヘリコイド１２ａ及び雌ヘリコイド１１ａによって案内されて、回転しつつ、その回転方向に応じて光軸方向に前進または後退する。
【０００７】
カムリング１２は、外筒部１２Ａと内筒部１２Ｂとを有する二重筒構造に形成されている。外筒部１２Ａと内筒部１２Ｂとは後端において環状の遮光壁１２Ｃを介して互いに連結しており、それら外筒部１２Ａと内筒部１２Ｂとの間に、前方が開放し後方が閉塞した環状空間ＲＳが画成されている。
内筒部１２Ｂの内面には、前群レンズＬ１を進退させるための３本一組の螺旋状のカム溝（第１カム溝）１２ｄと、後群レンズＬ２を進退させるための別の３本一組の螺旋状のカム溝（第２カム溝）１２ｅとが形成されている。
【０００８】
カムリング１２内に、略々円筒形の直進案内環１４が嵌合しており、この直進案内環１４は、その後端が小ネジを介して直進案内板１５の前面に固定されている。これらの直進案内環１４と直進案内板１５とが一体となって、直進案内部材１４、１５が構成されている。
直進案内板１５に形成した一対の径方向突起１５ａが前述の固定環１１の内面の一対の直進案内溝１１ｂと係合しているため、直進案内部材１４、１５は光軸方向の移動が可能で、光軸を中心とした回転が不能となっている。
直進案内環１４には光軸方向に延在する６本の直進案内溝１４ａが形成されており、それら直進案内溝１４ａの役割については後述する。
直進案内環１４の後端の外周には小さな小径部が形成されており、この小径部と直進案内板５の前面とで周溝が画成されている。
カムリング１２の後端に形成した内方フランジ１２ｆがこの周溝に遊嵌しており、それによって、カムリング１２と直進案内部材１４、１５とは相対回転が可能で、光軸方向の進退に関しては一体に移動するようになっている。
従って、カムリング１２が、ズーム駆動ギヤ１３に駆動されて回転しつつ光軸方向に進退するときには、直進案内部材１４、１５もカムリング１２と共に光軸方向に進退するが、ただしその際に、直進案内部材１４、１５は回転せず、そのため直進案内環１４の直進案内溝１４ａは、光軸回りの角度位置が常に一定に維持されている。
【０００９】
先端鏡筒部材１６は、前群レンズＬ１を支持する部材であり、光軸に対して垂直な先端の環状壁部１６ａと、環状壁部１６ａの外周縁から後方へ延出する円筒部１６ｂと、環状壁部１６ａの内周縁から後方へ光軸に平行に延出する３本の平板状腕部１６ｃと、それら平板状腕部１６ｃの後端近傍に連結した光軸に対して垂直なリング状板部１６ｄとを有する。
３本の平板状腕部１６ｃは、直進案内部材１４、１５の６本の直進案内溝１４ａのうちの、１本おきの３本の直進案内溝に嵌合しており、また各々の平板状腕部１６ｃの後端に設けたカムフォロワピン１６ｅが、カムリング１２の内筒部１２Ｂの内面に形成した前述の螺旋状の第１カム溝１２ｄに係合している。
そのためカムリング１２が回転したならば、先端鏡筒部材１６は、支持している前群レンズＬ１と共に、そのカムリング１２の回転方向に応じて、直進案内溝１４ａに案内されて光軸方向に前進または後退する。
【００１０】
前群レンズＬ１は、略々環状のユニットハウジング１８ａと、このユニットハウジング１８ａの内周部に、このユニットハウジング１８ａに対して相対的に光軸方向に移動可能に取り付けられた組合せレンズ１８ｂとを有する。
ユニットハウジング１８ａには更に、レンズシャッタ機構１８ｃと、合焦制御機構の制御の下に被写体距離に応じて組合せレンズ１８ａをユニットハウジング１８に対して前後動させるための不図示の合焦機構とが装備されている。
前群レンズＬ１は、小ネジを介して先端鏡筒部材１６のリング状板部１６ｄに固定されることによって先端鏡筒部材１６に支持されている。従って先端鏡筒部材１６のうち、先端の環状壁部１６ａ、３本の平板状腕部１６ｃ、それにリング状板部１６ｄによって、前群レンズＬ１を支持するレンズ支持部が構成されており、前述の円筒部１６ｂは、前端がこのレンズ支持部に連結し後方へ延出している。
【００１１】
後群レンズＬ２は、環状の可動レンズ枠１７ａと、この可動レンズ枠１７ａの内周部に固定された組合せレンズ１７ｂとを有する。
可動レンズ枠１７ａの外周には、一旦径方向外方に突出してそこから前方へ光軸に平行に延出する３本の平板状腕部１７ｃが形成されている。
それら３本の平板状腕部１７ｃは直進案内部材１４、１５の６本の直進案内溝１４ａのうちの、先端鏡筒部材１６の平板状腕部１６ｃが係合していない残りの３本の直進案内溝に嵌合しており、また各々の平板状腕部１７ｃの後端に設けたカムフォロワピン１７ｄが、カムリング１２の内筒部１２Ｂの内面に形成した前述の螺旋状の第２カム溝１２ｅに係合している。
そのため、カムリング１２が回転したならば、後群レンズＬ２は、そのカムリング１２の回転方向に応じて、直進案内溝１４ａに案内されて光軸方向に前進または後退する。
【００１２】
レンズフード１０は、後端に内方フランジ１０ａを形成した略々円筒形の部材であり、先端鏡筒部材１６の外周に嵌合させてある。レンズフード１０は、手動で先端鏡筒部材１６に対して相対的に光軸方向に移動させることができる。尚、内方フランジ１０ａの先端鏡筒部材１６との摺接面には植毛加工が施されており、レンズフード１０は、先端鏡筒部材１６に対してある程度の摩擦抵抗を有して摺動する。
先端鏡筒部材１６の外周には、その前端と後端に夫々、外方フランジ１６ｆと１６ｇとが形成されている。これら外方フランジ１６ｆ、１６ｇはストッパとして機能し、レンズフード１０の内方フランジ１０ａと当接することによってレンズフード１０が先端鏡筒部材１６から外れないようにしており、従ってレンズフード１０はこのカメラに、内蔵レンズフードとして装備されている。
レンズフード１０を先端鏡筒部材１６の外周に嵌合するためには、予めレンズフード１０を縦二つ割りの２個の部材に形成しておき、それら部材を互いに結合することで嵌合するようにしてもよく、また、レンズフード１０を伸縮性を有するプラスチックで形成しておき、先端鏡筒部材１６の前方から圧入して内方フランジ１０ａが外方フランジ１６ｆを乗り越えるようにしてもよい。更に、２つの外方フランジ１６ｆ、１６ｇのうちの一方を、先端鏡筒部材１６の本体とは別体の部材としておき、レンズフード１０を先端鏡筒部材１６の外周に嵌合させた後にその別体の部材を本体に取り付けるようにしてもよい。
【００１３】
先端鏡筒部材１６の後端の外方フランジ１６ｇは、ストッパとしての機能の他に、カムリング１２と先端鏡筒部材１６との間の隙間からカメラ内に有害光が入るのを防止する遮光部材としての機能も果たしている。
即ち、この外方フランジ１６ｇを適切な高さに形成することによって、先端鏡筒部材１６の後端の外周面及び内周面が夫々カムリング１２の外筒部１２Ａの内周面及び内筒部１２Ｂの外周面に対して、極めて小さな隙間をもって対向するようにしてある。
これによって迷路効果が得られるため、カムリング１２と先端鏡筒部材１６との間に、それらの一方に固定され他方にかなりの摩擦力をもって摺接する紙製、フェルト製、布製、ないしプラスチック製の環状遮光部材を使用することなく充分な遮光性が確保される。
この遮光構造によれば、摩擦力の働く遮光部材を使用しないことからカムリング１２と先端鏡筒部材１６との間の摩擦が殆どゼロとなり、ズームモータ及び電池の容量が小さなもので済むため、カメラのコンパクト化に大いに資することができる。
【００１４】
次に、以上に説明した実施の形態にかかるズーム機能付カメラの動作について説明する。
カメラの非使用時には、レンズフード１０を手で押し込んで先端鏡筒部材１６上の最後方まで後退させておき、スライドバリア４をカメラボディ３の中央にスライドさせると、図１に示したように、鏡筒２はこの動きに連動してズームモータによりカメラボディ３内に没入し、鏡筒２はスライドバリア４で覆われる。
この時、ズーム機構がカムリング１２を一方の回転方向の限界位置まで回転させ、カムリング１２をカメラボディ３に対して最後方まで後退させると共に先端鏡筒部材１６をカムリング１２に対して最後方まで後退させた状態にしている。図１から明らかなように、この鏡筒収納時の状態では、カムリング１２がカメラボディ３内に略々完全に収容されており、また先端鏡筒部材１６及びレンズフード１０が、カムリング１２の外筒部１２Ａと内筒部１２Ｂとの間に形成された前述の環状空間ＲＳ内に略々完全に収容されている。
また、カメラの非使用時には、スライドバリア４でカメラボディ３の前面のレンズ付近が覆われ、レンズが保護されている。
【００１５】
カメラを使用するときには、スライドバリア４をカメラボディ３の側部にスライドさせると、ズームモータにより鏡筒２が突出し図５に示すワイド端状態となる。
この状態からワイドスイッチボタン６やテレスイッチボタン７を押すことによって、ズームレンズを、図２に示したワイド端位置（最大広角撮影位置）や、図３に示したテレ端位置（最大望遠撮影位置）や、それらの間の任意の焦点距離の位置に移動させることができる。
即ち、ワイドスイッチボタン６やテレスイッチボタン７を操作すると、その操作を電気的に検出した公知のズーム機構制御装置がズームモータを制御してカムリング１２を必要な方向へ回転させる。すると、このカムリング１２の回転に応じて、カムリング１２の内筒部１２Ｂの内面に形成した螺旋状の第１カム溝１２ｄ及び第２カム溝１２ｅによって前群レンズＬ１及び後群レンズＬ２が移動して、ズームレンズの焦点距離が変化する。
このように焦点距離を変化させるとき、カムリング１２はみずからの回転に伴ってカメラボディ３に対して相対的に光軸方向に進退し、またそれと共に先端鏡筒部材１６もカムリング１２に対して相対的に光軸方向に進退する。従って２段伸縮式の鏡筒構造となっており、先端鏡筒部材１６のストロークが大きく取れ、広い焦点距離範囲が得られると同時に、カメラの非使用時にはレンズの鏡筒２をカメラボディ３内に完全に没入させて収納できるため、カメラのコンパクト性を高める上で有利な構造となっている。
そして、先端鏡筒部材１６がカムリング１２に対して相対的に光軸方向に進退する際には、先端鏡筒部材１６の円筒部１６ｂ及びレンズフード１０がカムリング１２の環状空間ＲＳに出没するため、以上の利点を得ながらなおかつ内蔵レンズフードを装備することが可能になっている。
【００１６】
レンズフード１０は、図５に示すように、先端鏡筒部材１６の前端がカムリング１２の前端から突出したならば、指先で摘んで前方へ引き出すことができ、必要に応じて引き出して使用する。図２及び図３には、レンズフード１０を先端鏡筒部材１６上の最前方まで引き出した状態を示した。
レンズフード１０を手動で引き出さない状態では、レンズフード１０の内方フランジ１０ａは、先端鏡筒部材１６の外方フランジ１６ｇと当接した状態となっているので、非使用状態あるいはワイド端からテレ方向では、レンズフード１０と先端鏡筒部材１６とが一体に前進する。また、テレ方向からワイド方向への後退時は、前述の植毛加工されたレンズフード１０の内方フランジ１０ａと先端鏡筒部材１６外周面との摩擦力により、レンズフード１０と先端鏡筒部材１６とは一体に後退する。したがって、レンズフード１０は外方フランジ１６ｇと当接した状態を維持して先端鏡筒部材１６と一体に進退するので、レンズフード非使用時であっても、レンズフード１０が邪魔になることはない。
望遠撮影のためには、レンズフード１０は長い方が性能がよい。ただし、長いレンズフードを装備した場合には、広角撮影時にはケラレが発生しないようにレンズフードの引き出し量を調節する必要がある。短いレンズフードを使用した場合にはケラレの心配はない。
使用後には指や手のひらで押し込むだけでレンズフードを１０を容易に収納することができる。
【００１７】
従って以上の実施の形態によれば、二重筒構造のカムリング（第１鏡筒部材）１２の外筒部１２Ａと内筒部１２Ｂとの間に画成された環状空間ＲＳに、先端鏡筒部材（第２鏡筒部材）１６の円筒部１６ｂ及びこの円筒部１６ｂの外周に嵌装したレンズフード１０が出没するようにしたため、レンズの鏡筒２をカメラボディ３内に完全に没入させて収納できるようにしたズーム機能付コンパクトカメラ等のように、これまでは内蔵レンズフードを装備することが困難であったカメラに、内蔵レンズフードを好適に装備することができる。
従って、別体のレンズフードを持ち運ぶ必要がないことから、カメラの携帯性を何ら損なうことなく、レンズフードによる画質向上効果を享受することができる。
また、この実施の形態の構造では、カムリング１２と先端鏡筒部材１６との間の遮光性を、必然的にそれら両者間の摩擦を伴う従来の環状遮光部材を用いずに得ているため、ズームモータ及び電池の容量が小さくて済み、カメラの一層のコンパクト化を可能にする。
【００１８】
鏡筒部の遮光性は、フォーカルプレーンシャッタを備えたカメラよりもレンズシャッタを備えたカメラの方がより高度の遮光性を要求されるが、以上の実施の形態の構造は、レンズシャッタを備えたカメラにとっても充分な遮光性を達成するものであるため、その種のコンパクトカメラに特に適したものである。
ただし、本発明はその他の種類のカメラにも好適に利用し得るものであり、その適用範囲は必ずしもコンパクトカメラに限定されない。
また、以上に説明した実施の形態では、第１鏡筒部材はカムリングであっが、必ずしも第１鏡筒部材がカムリングでなければならないということはない。第１鏡筒部材は、先端鏡筒部材の円筒部及びレンズフードが光軸方向に進退する際にそこに出没する前方が開放し後方が閉塞した環状空間を画成している環状空間画成部材でありさえすればよい。
【００１９】
【発明の効果】
以上の説明から明らかなように本発明は、光軸方向に進退してカメラボディに出没する第１鏡筒部材と、ズームレンズの最前部のレンズ群を支持し光軸方向に進退して前記第１鏡筒部材に出没する第２鏡筒部材とを有するズーム機能付カメラにおいて、前記第１鏡筒部材を、後端において互いに連結した外筒部と内筒部とを有する二重筒構造に形成することで、それら外筒部と内筒部との間に前方が開放し後方が閉塞した環状空間を画成し、前記第２鏡筒部材を、前記最前部のレンズ群を支持するレンズ支持部と、前端が該レンズ支持部に連結し後方へ延出する円筒部とを有する構造に形成し、前記円筒部の外周の前端と後端にそれぞれ前端側外方フランジと後端側外方フランジを設け、前記第２鏡筒部材の円筒部の外周に略々円筒形のレンズフードを光軸方向に移動可能に嵌合して装備し、前記レンズフードの内周の後端に、前記前端側外方フランジおよび後端側外方フランジの双方に当接可能な内方フランジを設け、前記第２鏡筒部材が光軸方向に進退する際に、該第２鏡筒部材の円筒部及び前記レンズフードが前記第１鏡筒部材の前記環状空間に出没するようにし、前記第２鏡筒部材および前記レンズフードが前記環状空間に収容された状態で前記レンズフードの前記内方フランジが前記第２鏡筒部材の後端側外方フランジに当接することで前記光軸方向において前記レンズフードの前端と前記第２鏡筒部材の前記円筒部の前端とがほぼ同じ位置に位置するように構成した。
そのため、レンズの鏡筒をカメラボディ内に完全に没入させて収納できるようにしたズーム機能付コンパクトカメラ等のように、これまでは内蔵レンズフードを装備することが困難であったカメラに、内蔵レンズフードを好適に装備することができる。
従って、別体のレンズフードを持ち運ぶ必要がないことから、カメラの携帯性を何ら損なうことなく、レンズフードによる画質向上効果を享受することができる。
【図面の簡単な説明】
【図１】本発明にかかるズーム機能付カメラの非使用状態（鏡筒収納時の状態）を示した上半断面図である。
【図２】カメラのレンズがワイド端位置にある状態を示した上半断面図である。
【図３】カメラのレンズがテレ端位置にある状態を示した上半断面図である。
【図４】カメラの分解斜視図である。
【図５】カメラの斜視図である。
【符号の説明】
Ｌ１  前群レンズ
Ｌ２  後群レンズ
ＲＳ  環状空間
２  鏡筒
３  カメラボディ
１０  レンズフード
１２  カムリング（第１鏡筒部材）
１６  先端鏡筒部材（第２鏡筒部材）
【図１】
0003863629.tif 000002
【図２】
0003863629.tif 000003
【図３】
0003863629.tif 000004
【図４】
0003863629.tif 000005
【図５】
0003863629.tif 000006